(57)【特許請求の範囲】
【請求項１】
ベースと、該ベースの長手方向に沿って複数配列された導電性のコンタクトと、前記ベースに前記長手方向に沿って移動自在に設けられ、前記コンタクトの少なくとも一部を前記長手方向に沿って弾性変形させるアクチュエータと、該アクチュエータに連結したスライダと、相手側コネクタと嵌脱自在に嵌合するハウジングと、一端側を前記アクチュエータに回動自在に連結された第１のリンクと、一端側が前記第１のリンクの他端側に回動自在に連結され、他端側を前記スライダに連結された第２のリンクとを備えているＺＩＦコネクタにおいて、
前記ベースの一端側に形成した収容部と、該収容部内で前記ベースの前記長手方向に沿って移動自在に前記スライダが設けられ、該スライダは縦溝部と、該縦溝部を構成する一対の側壁部にそれぞれ形成したカム溝とを有し、該カム溝は前記スライダが前記長手方向に沿って移動する際に、前記第１のリンクと前記第２のリンクとの間の連結部分を前記第１のリンクと前記スライダとの間の連結点を中心にして回動させるように形成されており、前記収容部には前記縦溝部に組み込まれている縦壁部が形成されており、該縦壁部には前記第２のリンクの他端に設けられている軸部が回動可能に嵌め込まれる軸受部が形成されていることを特徴とするＺＩＦコネクタ。
【請求項２】
請求項１記載のＺＩＦコネクタにおいて、前記ハウジングはその一端側に箱部を有し、該箱部の一端側の内側には保持壁部が形成されており、該保持壁部は前記スライダが前記収容部に収容されている状態で前記スライダの前記縦溝部に入り込みかつ前記軸受部上から前記第２のリンクの前記軸部を位置決め保持するよう保持突起が形成されていることを特徴とするＺＩＦコネクタ。
【請求項３】
請求項１記載のＺＩＦコネクタにおいて、前記軸受部はＵ字状に切り欠けられている形状であることを特徴とするＺＩＦコネクタ。
【発明の詳細な説明】
【０００１】
【発明の属する技術分野】
本発明は、ＺＩＦ（Ｚｅｒｏ  Ｉｎｓｅｒｔｉｏｎ  Ｆｏｒｃｅ；ゼロ  インサーション  フォース）コネクタに属し、特に、コネクタの嵌合、離脱操作をトグル機構を応用して行うＺＩＦコネクタに属する。
【０００２】
【従来の技術】
従来のトグル機構を応用したＺＩＦコネクタは、図９乃至図１２に示すように、略棒杆状のベース１５０及び相手側コネクタと嵌脱自在に嵌合するハウジング１６０と、ベース１５０の長手方向に沿ってベース１５０に複数適宜な間隔でそれぞれ配列されたコンタクト１３０，１４０と、長手方向に沿ってベース１５０に移動自在に設けられているアクチュエータ１７０と、第１のリンク２００と、第２のリンク１９０と、スライダ１８０とを有している。
【０００３】
このＺＩＦコネクタは、図１３（ａ）〜図１３（ｄ）に例示したように、プリント基板等の基板２２０にそのコンタクト１３０，１４０を半田付けする等して取り付けられる。
【０００４】
また、図１４、図１５、及び図１６（ａ）〜図１６（ｄ）に、ＺＩＦコネクタに接続される相手側コネクタを示した。この相手側コネクタは、インシュレータ２１０と、このインシュレータ２１０に長手方向に沿って複数適宜な間隔で配列されたコンタクト２２０とから構成される。この相手側コネクタは、図１６（ａ）〜図１６（ｄ）に示したように、プリント基板等の基板２１５にそのコンタクト２２０を半田付けする等して取り付けられる。
【０００５】
次に、図１７乃至図２０も参照しつつＺＩＦコネクタを更に詳しく説明する。第１及び第２のリンク２００，１９０は、それぞれハウジング１６０とアクチュエータ１７０とに回動可能に連結されている。即ち、第１のリンク２００には、その一端に丸穴２０４が、またその他端に円柱状突起２０１，２０２が形成されている。そして、第１のリンク２００の一端は、その丸穴２０４をハウジング１６０に形成された円柱状突起１６１に嵌合することで、ハウジング１６０に回動自在に連結される。
【０００６】
また、第２のリンク１９０は、その一端にフランジ部１９５と丸穴１９４が、またその他端には円柱状突起１９１，１９２、並びにフランジ部１９５と反対側に位置するフランジ部１９３が形成されている。第２のリンク１９０の一端は、その丸穴１９４を第１のリンク２００の他端の円柱状突起２０１に嵌合することで第１のリンク２００の他端に回動自在に連結されている。また第２のリンク１９０の他端は、円柱状突起１９１，１９２によってアクチュエータ１７０に回動自在に連結されている。
【０００７】
第１のリンク２００とハウジング１６０との連結点、つまり円柱状突起１６１の中心点と、第２のリンク１９０とアクチュエータ１７０との間の連結点、つまり円柱状突起１９１の中心点とを結ぶ線は、ベース１５０の長手方向と実質的に平行である。
【０００８】
スライダ１８０は、ベース１５０の長手方向に移動自在に設けられており、つまりコネクタの接続と離脱を行うための駆動方向に移動可能である。そして、このスライダ１８０の移動によって、第１及び第２のリンク２００，１９０間の連結部分が相手側コネクタの嵌合方向に沿って移動し、ベース１５０（ハウジング１６０）に対してアクチュエータ１７０が移動してコネクタ同士が接続される。
【０００９】
また、接続状態において、逆方向にスライダ１８０を移動させることで、コネクタ同士の接続が解かれ、離脱が行われる。
【００１０】
また、スライダ１８０は、ＺＩＦコネクタの厚さ方向の両側に偏心溝であるカム溝１８１を有している。このカム溝１８１は、スライダ１８０が長手方向に移動する際に、第１のリンク２００と第２のリンク１９０との間の連結部分、つまり円柱状突起２０１，２０２と係合して、この円柱状突起２０１，２０２を第１のリンク２００とハウジング１６０との間の連結点である円柱状突起１６１の中心点を中心として回動させるように形成されている。
【００１１】
より具体的には、スライダ１８０内には、図９において下側から組合わされたリンク２００，１９０が挿入されて、第１のリンク２００の円柱状突起２０１，２０２がカム溝１８１内に嵌入する。そして、カム溝１８１は、図１０及び図１１に示すように、第１のリンク２００の円柱状突起２０１，２０２を、スライダ１８０のスライド移動、つまり図１９において左右方向のスライド移動によって上下に移動させる。
【００１２】
また、カム溝１８１には、長手方向両側に、円柱状突起２０１，２０２を上下に移動させないストレート部が構成されている。従って、この間に円柱状突起２０１，２０２が位置している時には、円柱状突起２０１，２０２の移動がなく、その位置に保持される。これにより、アクチュエータ１７０の位置を嵌脱位置（図１７に示す状態で、相手側コネクタを嵌脱できる位置）、或いは接続位置（図１９に示す状態で、相手側コネクタと接続している位置）に係止できるように成っている。
【００１３】
更に、第１のリンク２００の第２のリンク１９０側の他端部には、他の部分よりも薄肉な略円板状のフランジ部２０５が形成されている。また、第２のリンク１９０の第１のリンク２００側の一端部にも他の部分よりも薄肉な略円板状のフランジ部１９５が形成されている。
【００１４】
ここで、図２０において、各寸法ａ〜ｄは、ａ＜ｂ、ｃ＜ｄの関係になっている。そして、第１のリンク２００のフランジ先端面２０５ａと第２のリンク１９０の円弧面１９６ａとは、ベース１５０の長手方向で互いに関節のように摺接する。同様に、第１のリンク２００の円弧面２０６ａと第２のリンク１９０のフランジ先端面１９５ａとは、ベース１５０の長手方向で互いに関節のように摺接する。これにより、アクチュエータ１７０の駆動時において、これらフランジ先端面１９５ａ，２０５ａと、円弧面１９６ａ，２０６ａとは、第１のリンク２００と第２のリンク１９０との間の連結部である円柱状突起２０１，２０２をスライダ１８０によって回動させる際に生じるアクチュエータ１７０の駆動力を受ける。
【００１５】
つまり、この場合、アクチュエータ１７０の駆動力の全ては、第１のリンク２００の他端部に設けられたフランジ部２０５と、第２のリンク１９０の一端部に設けられたフランジ部１９５とで受けられる。これにより、第１のリンク２００と第２のリンク１９０とを回動自在に連結する円柱状突起２０１と丸穴１９４には、アクチュエータ１７０の駆動力が加わることがない。
【００１６】
この結果、この駆動力が円柱状突起２０１、及び丸穴１９４に加わることがなく、このため、円柱状突起２０１を細くすることができる。尚、第１のリンク２００とハウジング１６０、及び第２のリンク１９０とアクチュエータ１７０とも同様な構造により接続する構成としてある。
【００１７】
また、アクチュエータ１７０には、第２のリンク１９０の円柱状突起１９１，１９２との連結部１７１が形成されている。このアクチュエータ１７０は、後述するように、これを長手方向に移動する際に、コンタクト１３０，１４０と直接または間接的に係合してコンタクト１３０，１４０の少なくとも一部を長手方向に沿って弾性変形させる。
【００１８】
以上のように構成される実施例のＺＩＦコネクタでは、図１８のように相手側コネクタを嵌合・接続させた状態において、ハウジング１６０に対して、アクチュエータ１７０を移動させる。これにより、アクチュエータ１７０がコンタクト１３０，１４０の一部を押し、このためコンタクト１３０、１４０の一部が弾性変形して相手側コネクタのコンタクト２２０と圧接して、コンタクト同士が接続される。
【００１９】
ここで、円柱状突起２０１，２０２の上下方向の移動量と、アクチュエータ１７０の移動量との関係は、図２１に示したように、ある領域を越えた場合には円柱状突起２０１，２０２の移動にかかわらずアクチュエータ１７０の移動量はわずかである。このため、本実施例のＺＩＦコネクタでは、コネクタの操作回数が多い時でも、カム溝１８１と円柱状突起２０１，２０２との摺動によるこの摺動部分の摩耗はあるものの、この摩耗の影響は図２１において円柱状突起２０１，２０２の上下方向の移動量が多少少なくなるだけであり、アクチュエータ１７０の移動量にはほとんど影響しない。
【００２０】
また、コンタクト１３０、１４０は、アクチュエータ１７０の移動量にしたがってアクチュエータ１７０を押す力が増す構造である。ここで、アクチュエータ１７０の移動量に対する円柱状突起２０１，２０２を押す力（荷重）の変化は図２２のように後半部分で低下する特性である。このため、アクチュエータ１７０の移動のためのスライダ１８０の操作力を小さくすることができる。
【００２１】
【発明が解決しようとする課題】
しかしながら、図１０に示したように、ハウジング１６０に円柱状突起（軸部）１６１を持ち、第１のリンク２００と嵌め合わされて回転し、第１のリンク２００の他端が第２のリンク１９０に嵌め合わされ、第２のリンク１９０の他端がアクチュエータ１７０に設けられている連結部１７１に嵌め合わされるので、ハウジング１６０の円柱状突起１６１に多大な力が加わり、高温、熱衝撃時に軸受部が変形などを起こしやすいという問題がある。
【００２２】
また、組み立て時においては、ハウジング１６０、アクチュエータ１７０、第１のリンク２００、第２のリンク１９０、及びスライダ１８０を組み合わせてベース１５０に組み合わせる構造であることから、第１及び第２のリンク２００、１９０のみでそれぞれが組み合わされているために、ベース１５０にセットするときに不安定であって組み立て性に問題がある。
【００２３】
したがって、第１及び第２のリンク２００、１９０によって保持する保持構造は、ハウジング１６０の円柱状突起１６１の強度や組み立て性に問題があった。
【００２４】
それ故に、本発明の課題は、リンクの回転軸に位置決め保持を可能とした組み立て性に優れた構造であるＺＩＦコネクタを提供することにある。
【００２５】
また、本発明の他の課題は、軸受部が受ける力に対して十分な強度、肉厚寸法をもつ構造とすることができ、高温、熱衝撃に対して変形などのでにくい軸受部を得ることができるＺＩＦコネクタを提供することにある。
【００２６】
【課題を解決するための手段】
発明によれば、ベースと、該ベースの長手方向に沿って複数配列された導電性のコンタクトと、前記ベースに前記長手方向に沿って移動自在に設けられ、前記コンタクトの少なくとも一部を前記長手方向に沿って弾性変形させるアクチュエータと、該アクチュエータに連結したスライダと、相手側コネクタと嵌脱自在に嵌合するハウジングと、一端側を前記アクチュエータに回動自在に連結された第１のリンクと、一端側が前記第１のリンクの他端側に回動自在に連結され、他端側を前記スライダに連結された第２のリンクとを備えているＺＩＦコネクタにおいて、前記ベースの一端側に形成した収容部と、該収容部内で前記ベースの前記長手方向に沿って移動自在に前記スライダが設けられ、該スライダは縦溝部と、該縦溝部を構成する一対の側壁部にそれぞれ形成したカム溝とを有し、該カム溝は前記スライダが前記長手方向に沿って移動する際に、前記第１のリンクと前記第２のリンクとの間の連結部分を前記第１のリンクと前記スライダとの間の連結点を中心にして回動させるように形成されており、前記収容部には前記縦溝部に組み込まれている縦壁部が形成されており、該縦壁部には前記第２のリンクの他端に設けられている軸部が回動可能に嵌め込まれる軸受部が形成されていることを特徴とするＺＩＦコネクタが得られる。
【００２７】
また、本発明によれば、前記ハウジングはその一端側に箱部を有し、該箱部の一端側の内側には保持壁部が形成されており、該保持壁部は前記スライダが前記収容部に収容されている状態で前記スライダの前記縦溝部に入り込みかつ前記軸受部上から前記第２のリンクの前記軸部を位置決め保持するよう保持突起が形成されていることを特徴とするＺＩＦコネクタが得られる。
【００２８】
また、本発明によれば、前記軸受部はＵ字状に切り欠けられている形状であることを特徴とするＺＩＦコネクタが得られる。
【００２９】
【発明の実施の形態】
以下に本発明のＺＩＦコネクタの一実施の形態例を説明する。図１乃至図３に本発明の一実施の形態例におけるＺＩＦコネクタを示した。本実施の形態例のＺＩＦコネクタは、略棒杆状のベース５０、及び相手側コネクタ１０と嵌脱自在に嵌合するハウジング６０と、ベース５０の長手方向に沿ってベース５０に複数適宜な間隔でそれぞれ配列された複数のコンタクト３０，４０と、長手方向に沿ってベース５０に移動自在に設けられているアクチュエータ７０と、第１のリンク９０と、第２のリンク１００と、スライダ８０とを有している。
【００３０】
ベース５０、ハウジング６０、アクチュエータ７０、第１及び第２のリンク９０，１００、並びにスライダ８０は、例えば絶縁性の合成樹脂材によってで作られる。また、コンタクト３０，４０は、例えば導電性の金属片により作られる。このＺＩＦコネクタは、図１３に例示したプリント基板等の基板２２０と同様な基板にコンタクト３０，４０を半田付けする等して取り付けられる。
【００３１】
また、本実施の形態例のＺＩＦコネクタに接続される相手側コネクタ１０は、相手インシュレータ１０ａと、この相手インシュレータ１０ａに長手方向に沿って複数適宜な間隔で配列された複数の相手コンタクト２０とから構成される。相手インシュレータ１０ａは、例えば絶縁性の合成樹脂材によって作られる。また、相手コンタクト２０は、例えば導電性の金属片により作られる。この相手側コネクタ１０は、図１６に例示した基板２１５と同様に、基板にコンタクト２０を半田付けする等して取り付けられる。
【００３２】
次に、図４乃至図８をも参照しつつ、本実施の形態例のＺＩＦコネクタを更に詳しく説明する。第１及び第２のリンク９０，１００は、それぞれハウジング６０とアクチュエータ７０とに回動可能に連結されている。即ち、第１のリンク９０には、その一端のフランジ部９０ａに円柱状突起９１が、またその他端のフランジ部９０ｂに一対の円柱状突起９２，９３が設けられている。そして、第１のリンク９０の一端の円柱状突起９１は、アクチュエータ７０の一端側の板部に形成されている長孔７１に嵌め込まれて回動自在に連結される。
【００３３】
また、第２のリンク１００はその一端のフランジ部１００ａに丸穴１０１が、またその他端のフランジ部１００ｂには円柱状突起（軸部）１０２が形成されている。第２のリンク１００の一端は、その丸穴１０１を第１のリンク９０の他端の円柱状突起９２，９３のうちの一方の円柱状突起９２に嵌合することで第１のリンク９０の他端に回動自在に連結されている。また第２のリンク１００の他端は、スライダ８０に形成されている縦溝部８１の奥部へ入り込んでいる。
【００３４】
スライダ８０は、ハウジング６０の一側に形成されている箱部６１に組み込まれ、箱部６１の上板に形成されている窓部６１ａ上の突き出しているノブ部８２を有している。また、スライダ８０はベース５０の長手方向に移動自在に設けられている。つまりコネクタの接続と離脱を行うための駆動方向にノブ部８２を操作することによって移動可能である。そして、スライダ８０の移動によって、第１及び第２のリンク９０，１００間の連結部分が相手側コネクタ１０の嵌合方向に沿って移動し、ベース５０に対してアクチュエータ７０が移動してコネクタ及び相手側コネクタ１０が接続される。また、接続状態において、逆方向にスライダ８０を移動させることで、ＺＩＦコネクタ及び相手側コネクタ１０の接続が解かれ離脱が行われる。
【００３５】
また、スライダ８０は、縦溝部８１を構成している一対の側壁部にＺＩＦコネクタの厚さ方向の両側に形成した偏心溝であるカム溝８３を有している。このカム溝８３は、スライダ８０が長手方向に移動する際に、第１のリンク９０と第２のリンク１００との間の連結部分、つまり円柱状突起９２、９３と係合して、この円柱状突起９２、９３を第１のリンク９０とアクチュエータ７０との間の連結点である円柱状突起９１の中心点を中心として回動させるように形成されている。
【００３６】
より具体的には、スライダ８０の縦溝部８１には、図３及び図６において下側から組合わされた第１及び第２のリンク９０，１００が挿入されて、第１のリンク９０の円柱状突起９２，９３がカム溝８３内に嵌入する。
【００３７】
そして、カム溝８３は、第１のリンク９０の円柱状突起９２，９３を、スライダ８０のスライド移動、つまり図２及び図３において左右方向のスライド移動によって上下に移動させる。また、カム溝８３には、長手方向の両側に円柱状突起９２，９３を上下に移動させないストレート部８１ａ，８１ｂが構成されている。
【００３８】
従って、この間に円柱状突起９２，９３が位置している時には、円柱状突起９２，９３の移動がなく、その位置に保持される。これにより、アクチュエータ７０の位置を嵌脱位置（図３に示す状態で相手側コネクタ１０を嵌脱できる位置）、或いは接続位置に係止できるように成っている。
【００３９】
ベース５０は、図３、図７及び図８に示すように、その一端側にスライダ８０を上方から収容するための収容部５４を有している。収容部５４にはスライダ８０が収容部５４の底面に設置されたときに、スライダ８０の縦溝部８１に入り込むように底面上にのびている縦壁部５１が設けられている。縦壁部５１にはスライダ８０が収容部５４に収容された状態で、第２のリンク１００の一端側の円柱状突起１０２が係合する軸受部５１ａが形成されている。縦壁部５１には軸受部５１ａが略Ｕ字形状に切り欠けられて形成されている。
【００４０】
スライダ８０に組み付けられた第１及び第２のリンク９０，１００は、収容部５４に収容するときに、縦壁部５１の軸受部５１ａに第２のリンク１００の円柱状突起１０２を嵌め込む。アクチュエータ７０の長孔７１に第１のリンク９０の一端側の円柱状突起９１が嵌め込まれている。
【００４１】
なお、ハウジング６０には箱部６１ａの一端側の内側に保持壁部６２が形成されている。保持壁部６２はスライダ８０が収容部５４に収容されている状態でスライダ８０の縦溝部８１にノブ部８２の後方から入り込んでいる。保持壁部６２にはその先端部分に軸受部５１ａ上から第２のリンク１００の円柱状突起１０２を挟み込むように保持突起６２ａが形成されている。この保持突起６２ａは第２のリンク１００の円柱状突起１０２を軸受部５１ａに位置決めするとともに保持する役目を果たしている。また、ベース５０に軸受部５１ａを設けることで、軸受部５１ａが第２のリンク１００の円柱状突起１０２によって受ける力に対して十分な強度、及び肉厚寸法をもつ構造となる。
【００４２】
更に、第１のリンク９０のフランジ部９０ａ，９０ｂは第１のリンク９０の板厚寸法よりも薄い寸法に作られているとともに両先端面が円弧形状に作られている。また、第２のリンク１００のフランジ部１００ａ，１００ｂも同様に第２のリンク１００の板厚寸法よりも薄い寸法に作られているとともに両先端面が円弧形状に作られている。
【００４３】
ここで、第２のリンク９０の一端側のフランジ部１００ａの先端面と第２のリンク１００の円弧面９４とは、ベース５０の長手方向で互いに関節のように摺接する。同様に、第１のリンク９０の一端側の円弧面９５とアクチュエータ７０の板部に形成されている円弧面７１ａとは、ベース５０の長手方向で互いに関節のように摺接する。これにより、アクチュエータ７０の駆動時において、第１のリンク９０と第２のリンク１００との間の連結部分である円柱状突起９２、９３をスライダ８０によって回動させる際に生じるアクチュエータ７０の駆動力を受ける。
【００４４】
この場合、アクチュエータ７０の駆動力の全ては、第１のリンク９０の他端部に設けられたフランジ部９０ｂと、このフランジ部９０ｂの板薄部９０ｃ、並びに第２のリンク１００の一端部に設けられたフランジ部１００ａで受けられる。これにより、第１のリンク９０と第２のリンク１００とを回動自在に連結する円柱状突起９２と丸穴１０１には、アクチュエータ７０の駆動力が加わることがない。
【００４５】
この結果、この駆動力が円柱状突起９２、及び丸穴１０１に加わることがなく、このため、円柱状突起９２、９３を細くすることができる。
【００４６】
また、アクチュエータ７０は、長手方向に移動する際に、相手コンタクト２０と直接または間接的に係合してコンタクト３０，４０の少なくとも一部を長手方向に沿って弾性変形させる役目を果たす。
【００４７】
以上のように構成されるＺＩＦコネクタでは、図３のように相手側コネクタ１０を嵌合・接続させた状態において、ハウジング６０に対して、アクチュエータ７０を移動させる。これにより、アクチュエータ７０がコンタクト３０，４０の一部を押し、このためコンタクト３０、４０の一部が弾性変形して相手側コネクタとのコンタクト２０と圧接して、コンタクト同士が接続される。
【００４８】
ここで、円柱状突起９２，９３の上下方向の移動量と、アクチュエータ７０の移動量との関係は、ある領域を越えた場合には円柱状突起９２，９３の移動にかかわらずアクチュエータ７０の移動量はわずかである。このため、本実施の形態例のＺＩＦコネクタでは、コネクタの操作回数が多い時でも、カム溝８１と円柱状突起９２，９３との摺動によるこの摺動部分の摩耗はあるものの、この摩耗の影響は円柱状突起９２，９３の上下方向の移動量が多少、少なくなるだけであることからアクチュエータ７０の移動量にはほとんど影響しない。
【００４９】
また、本実施の形態例のコンタクトは、アクチュエータ７０の移動量にしたがってアクチュエータ７０を押す力が増す構造である。ここで、アクチュエータ７０の移動量に対する円柱状突起９２，９３を押す力（荷重）の変化は後半部分で低下する特性である。このため、アクチュエータ７０の移動のためのスライダ８０の操作力を小さくすることができる。
【００５０】
【発明の効果】
以上、実施の形態例で説明したように、本発明のＺＩＦコネクタによれば、ベースにスライダが収容された状態で、ベースの縦壁部に、第２のリンクの円柱状突起が係合する軸受部を形成していることから、軸受部が第２のリンクの円柱状突起によって受ける力に対して十分な強度、及び肉厚寸法をもつようにできる。
【００５１】
また、ハウジングに保持壁部を形成し、保持壁部の先端部分に軸受部上から第２のリンクの円柱状突起を挟み込むようにしていることから、保持突起が第２のリンクの円柱状突起を軸受部に位置決めするとともに保持することができる。
【００５２】
したがって、上述した構成によって、軸受部が高温、熱衝撃に対して変形することなく、さらにハウジング、ベース、スラーダ、第１及び第２のリンク及びアクチュエータの組み立てにおける組立て性が向上する。
【図面の簡単な説明】
【図１】本発明のＺＩＦコネクタの一実施の形態例を示す分解斜視図である。
【図２】本発明のＺＩＦコネクタの一実施の形態例を示す斜視図である。
【図３】本発明のＺＩＦコネクタの一実施の形態例を要部を断面した状態で示した縦断面図である。
【図４】図３に示した第１及び第２のリンクの斜視図である。
【図５】図３に示した第１及び第２のリンク、スライダの斜視図である。
【図６】図３に示した第１及び第２のリンク、スライダ、アクチュエータを示した斜視図である。
【図７】図３に示したＺＩＦコネクタにおいてベースを断面した状態で示した分解斜視図である。
【図８】図７に示したＺＩＦコネクタを組立てた状態を断面で示した斜視図である。
【図９】従来のＺＩＦコネクタの分解斜視図である。
【図１０】図９の一部を拡大して示した分解斜視図である。
【図１１】図９に示すＺＩＦコネクタにおける解放状態の斜視図である。
【図１２】図９に示すＺＩＦコネクタにおける接続状態の斜視図である。
【図１３】図９に示すＺＩＦコネクタ及びそれに適合される基板を示し、（ａ）はＺＩＦコネクタの平面図、（ｂ）は同じく正面図、（ｃ）は同じく側面図、（ｄ）は基板の説明図である。
【図１４】図９に示すＺＩＦコネクタの相手側コネクタの斜視図である。
【図１５】図１４に示す相手側コネクタの分解斜視図である。
【図１６】図１４に示す相手側コネクタ及びそれに適合する基板を示し、（ａ）は相手側コネクタの平面図、（ｂ）は同じく正面図、（ｃ）は同じく側面図、（ｄ）は基板の説明図である。
【図１７】図９に示すコネクタと図１４に示す相手側コネクタとの接続前の状態を示した部分の縦断面図である。
【図１８】図９に示すコネクタと図１４に示す相手側コネクタとの接続状態を示した部分横断面図である。
【図１９】図９に示すコネクタと図１４に示す相手側コネクタとの接続状態を示した部分の縦断面図である。
【図２０】図９に示すコネクタと図１４に示す相手側コネクタとの接続状態を示した部分水平断面図である。
【図２１】図９に示すＺＩＦコネクタにおける円筒状突起の上下方向の移動量とアクチュエータの移動量の関係を示したグラフである。
【図２２】図１に示すＺＩＦコネクタにおけるアクチュエータの移動量とアクチュエータの移動量および円筒状突起を押す力との関係を示したグラフである。
【符号の説明】
３０，４０，１３０，１４０，２２０    コンタクト
５０，１５０    ベース
５１    縦壁部
５１ａ    軸受部
５４    収容部
６０，１６０    ハウジング
６２    保持壁部
６２ａ    保持突起
７０，１７０    アクチュエータ
８０，１８０    スライダ
８３，１８１    カム溝
９０，２００    第１のリンク
９０ａ，９０ｂ，１００ａ，１００ｂ，１９３，１９５    フランジ部
９２，９３，１０２，１６１，２０１，２０２    円柱状突起
１００，１９０    第２のリンク
１０１，１９４，２０４    丸穴
【図１】
0003557597.tif 000002
【図２】
0003557597.tif 000003
【図３】
0003557597.tif 000004
【図４】
0003557597.tif 000005
【図５】
0003557597.tif 000006
【図６】
0003557597.tif 000007
【図７】
0003557597.tif 000008
【図８】
0003557597.tif 000009
【図９】
0003557597.tif 000010
【図１０】
0003557597.tif 000011
【図１１】
0003557597.tif 000012
【図１２】
0003557597.tif 000013
【図１３】
0003557597.tif 000014
【図１４】
0003557597.tif 000015
【図１５】
0003557597.tif 000016
【図１６】
0003557597.tif 000017
【図１７】
0003557597.tif 000018
【図１８】
0003557597.tif 000019
【図１９】
0003557597.tif 000020
【図２０】
0003557597.tif 000021
【図２１】
0003557597.tif 000022
【図２２】
0003557597.tif 000023